(57)【要約】【課題】  支持体と、曲がった形状に予め緊張されかつ前記支持体上に回転可能に取付けられた変形可能な一体式脱毛素子とを含む脱毛器を提供する。【解決手段】  前記一体式素子は複数の隣接円盤（２）によって形成され、前記円盤は、前記円盤に本質的に垂直な少なくとも一つの突起を持つ離間結合素子（３）によって互いに連結されており、前記離間結合素子は、前記一体式素子（１）が回転されることにより使用されるとき、対として揺動して幾つかの円盤（２）が互いから分離されて開放空間（６）を残す散開領域（９）と、幾つかの円盤（２）が互いに対して押圧されて毛を掴んで皮膚から除去するためのトングを形成する収斂圧縮領域（１０）とを形成する、二つの隣接円盤（２）のための揺動線（８）を形成するような方法で配置される。【選択図】  図１
2009537183.tif 000002
【特許請求の範囲】
【請求項１】
支持体（５）と、曲がった形状に予め緊張されかつ前記支持体（５）上に回転可能に取付けられた柔軟な一体式脱毛素子（１）とを含む脱毛器であって、前記一体式素子が複数の隣接円盤（２）によって形成され、前記円盤が、前記円盤に本質的に垂直な少なくとも一つの突起を持つ離間結合素子（３）によって互いに連結されており、前記離間結合素子が、前記一体式素子（１）が回転されることにより使用されるとき、対として揺動して幾つかの円盤（２）が互いから分離されて開放空間（６）を残す散開領域（９）と、幾つかの円盤（２）が互いに対して押圧されて毛を掴んで皮膚から除去するためのトングを形成する収斂圧縮領域（１０）とを形成する、二つの隣接円盤（２）のための揺動線（８）を形成するような方法で配置されることを特徴とする脱毛器。
【請求項２】
支持体（５）が、前記一体式素子（１）に結合され、かつ一体式素子が使用されるときに一体式素子に回転運動を与えることを意図されたモーター（４）をさらに含み、前記回転運動が、毛が除去されるべき皮膚の上で一体式素子をスライドさせ、前記一体式素子（１）の前記回転運動が、毛を掴んで皮膚から除去するために散開側（９）の分離された配向から収斂側（１０）の圧縮配向への円盤（２）の連続運動を起こすことを特徴とする請求項１に記載の脱毛器。
【請求項３】
円盤（２）が、それらの周囲に前記揺動線（８）に本質的に平行な特定の幾何学的形状の突起（１１）を持つセグメントを含むことを特徴とする請求項１に記載の脱毛器。
【請求項４】
特定の幾何学的形状の突起（１１）が、円盤（２）の回転方向のブラシ掛け及び掴み順序に適合されていることを特徴とする請求項３に記載の脱毛器。
【請求項５】
前記突起（１１）が、それらの周囲に、掴み表面を作ることを可能にする各側面上のベベル（７）を含むことを特徴とする請求項３に記載の脱毛器。
【請求項６】
前記離間結合素子（３）が円盤（２）の全直径を横切って延びることを特徴とする請求項１に記載の脱毛器。
【請求項７】
前記離間結合素子（３）が円盤（２）の中心に対してオフセットされていることを特徴とする請求項１に記載の脱毛器。
【請求項８】
前記離間結合素子（３）が二つの連続円盤上にオフセット角度（１１）を持つことを特徴とする請求項１から７のいずれかに記載の脱毛器。
【請求項９】
オフセット角度が４５°〜１２０°であることを特徴とする請求項８に記載の脱毛器。
【請求項１０】
オフセット角度が９０°であることを特徴とする請求項９に記載の脱毛器。
【請求項１１】
前記一体式素子（１）が合成材料から作られていることを特徴とする請求項１に記載の脱毛器。
【請求項１２】
前記一体式素子（１）が、予め緊張される前に、凹状、凸状または円筒状の回転幾何学的形状を持つことを特徴とする請求項１に記載の脱毛器。
【請求項１３】
前記円盤が、それらの周囲に、掴み表面を作ることを可能にする各側面上のベベル（７）を含むことを特徴とする請求項１に記載の脱毛器。
【請求項１４】
皮膚と接触する前記圧縮部（１０）が凹状、凸状または直線状であることを特徴とする請求項１に記載の脱毛器。
【発明の詳細な説明】
【技術分野】
【０００１】
本発明は、脱毛器、特に一体式脱毛器、すなわち単一部品から作られた脱毛素子を持つ脱毛器に関する。
【背景技術】
【０００２】
多数の手動または電気脱毛装置が知られており、大まかに二つの主要な群に分類されることができる。
【０００３】
第一群は、ばね脱毛器により表され、そこでは通常曲がった螺旋形ばねがコイル間の空間内の毛を掴み、これらのコイル間の空間が閉じられ圧縮されるときに皮膚からこれらの毛を除去する。この効果は、ばねを閉鎖側（収斂側）と開放側（散開側）を持つように異なる方向に曲げることにより得られる。
【０００４】
この原理に基づく脱毛装置は、例えばＦＲ−Ａ−２６２７３６２に開示されており、それは、圧縮効果を得てそれにより毛を皮膚から除去するためにばねの様々な曲げ方を示す。脱毛素子が曲げられるとき、コイルが互いに対して圧縮される収斂領域が作られ、コイル間の空間を有する散開領域が作られる。
【０００５】
第二群の脱毛装置は、ＥＰ−Ａ−０３８３７１９におけるような複数の隣接円盤に基づく脱毛器からなり、それは、これらの円盤を揺動させ、かつそれによってそれらを脱毛トングに変形する素子により分離された隣接円盤を持つ脱毛素子を含む脱毛装置を示す。かかる脱毛素子は多くの部品を含み、それはその完全なクリーニングのために分解することを困難にする。その点で、特にＥＰ−Ａ−０３８３７１９の図３，４及び５を参照されたい。
【０００６】
従来技術の装置で見出される主な問題は実際、それらのクリーニングである。なぜなら、それらはクリームとともに使用されることが多く、それは円盤間の空間を極めて急速に詰まらせ、従ってクリーニングするのが比較的困難であるからである。別個の脱毛円盤を持つ装置は、適切にクリーニングされるために非常にしばしば完全に分解されなければならず、それは機械的複雑さや装置の多い部品を考えると困難または不可能でさえある。
【発明の開示】
【０００７】
本発明は、従来技術の欠点を克服すること、特に複数の隣接円盤及びそれらの相互連結体または結合体が単一部品で製造される一体式脱毛素子を持つ脱毛装置を提供することを目的とする。この設計は、脱毛素子がクリーニングするのが困難となったときに処分できる脱毛素子を作ることを可能にする。従って、詰まりがある水準に達したら、骨の折れるクリーニング作業を避けるためにこの素子を年当り数回交換することが可能であるだろう。
【０００８】
本発明の第二の目的は、比較的低コストで製造を可能にする簡単な脱毛装置を提供することである。
【０００９】
図面の簡略説明
図１ａ及び１ｂは、特に図１ａのベベル７の詳細図を有する一体式脱毛素子の種々の図を示す。図１ｃは、支持体上の予め緊張された一体式脱毛素子、及び内側にモーターを配置する可能性を持つ本発明の脱毛器を示す。
【００１０】
図２は、本発明の一体式脱毛素子を示し、そこでは円盤上の離間結合素子は円盤に本質的に垂直な二つの突起により表されており、これらの突起は各場合において隣接円盤に対して９０°だけオフセットされている。明解さを向上するために、一体式脱毛素子は種々の断面で切断されている。揺動線は断面Ａ及びＢ上に矢印（参照番号８）により表されている。
【００１１】
図３は、本発明の一体式脱毛素子を示し、そこでは円盤上の離間結合素子は、円盤の全直径を横切ってその中心を通過する突起により表されている。この突起はまた、揺動線を形成し、その位置は断面ＡからＦで示されている。
【００１２】
図４は、本発明の一体式脱毛素子を示し、そこでは円盤上の離間結合素子は円盤に対してオフセットされている突起により表され、そこではオフセット角度はまた、隣接円盤に対して９０°である。
【００１３】
図５は、一体式脱毛素子とこの素子の初期形状（凹状、凸状、多少丸い、円筒状）に依存する皮膚との間の接触角の種々の選択を示す。
【００１４】
参照符号
１．一体式脱毛素子
２．隣接円盤
３．離間結合素子
４．モーター
５．支持体
６．開放空間
７．ベベル（面取り）
８．揺動線
９．散開領域
１０．収斂圧縮領域
１１．特定の幾何学的形状の突起
【００１５】
本発明は、支持体と、曲がった形状に予め緊張されかつ前記支持体上に回転可能に取付けられた柔軟な一体式脱毛素子とを含む脱毛器であって、前記一体式素子が複数の隣接円盤によって形成され、前記円盤が、前記円盤に本質的に垂直な少なくとも一つの突起を持つ離間結合素子によって互いに連結されており、前記離間結合素子が、前記一体式素子が回転されることにより使用されるとき、対として揺動して幾つかの円盤が互いから分離されて開放空間を残す散開領域と、幾つかの円盤が互いに対して押圧されて毛を掴んで皮膚から除去するためのトングを形成する収斂圧縮領域とを形成する、二つの隣接円盤のための揺動線を形成するような方法で配置されることを特徴とする脱毛器を開示する。
【００１６】
特別な実施態様によれば、本発明は次の特徴の一つまたはそれ以上を含む：
−  支持体は、前記一体式素子に結合され、かつ一体式素子が使用されるときに一体式素子に回転運動を与えることを意図されたモーターをさらに含み、前記回転運動が、毛が除去されるべき皮膚の上で一体式素子をスライドさせ、前記一体式素子の前記回転運動が、毛を掴んで皮膚から除去するために散開側の分離された配向から収斂側の圧縮配向への円盤の連続運動を起こし；次いで回転速度の調節が使用の快適さのために使用者により制御される；
−  円盤は、それらの周囲に前記揺動線に本質的に平行な特定の幾何学的形状の突起を持つセグメントを含む；
−  特定の幾何学的形状の突起は円盤の回転方向のブラシ掛け及び掴み順序に適合している；
−  前記突起は、それらの周囲に、掴み表面を作ることを可能にする各側面上のベベルを含む；
−  前記離間結合素子は円盤の全直径を横切って延びる；
−  前記離間結合素子は円盤の中心に対してオフセットされている；
−  前記離間結合素子は二つの連続円盤上にオフセット角度を持つ；
−  オフセット角度は４５°〜１２０°である；
−  オフセット角度は好ましくは９０°である；
−  離間結合素子は前記円盤に本質的に垂直な少なくとも一つの突起を含む；
−  前記一体式素子は合成材料で、好ましくは熱可塑性材料による射出成形技術により製造される；
−  前記一体式素子は、予め緊張される前に、皮膚に対して望ましい接触角に依存して凹状、凸状または円筒状の回転幾何学形状を持つ；
−  前記円盤は、それらの周囲に、円盤が突起を持たない場合に掴み表面を作ることを可能にする各側面上のベベルを含む；
−  皮膚と接触する前記圧縮部は凹状、凸状または直線状である。
【発明を実施するための最良の形態】
【００１７】
本発明は、例えばケーシングの形の支持体と柔軟な一体式脱毛素子１とを含む脱毛器を開示する。この脱毛器は従来技術のもののように作動し、すなわちそれは一つには曲がるようにかつ円盤２が互いに押圧されて皮膚から毛を除去するためのトングを形成する圧縮部１０を作るように一方側で圧縮され、かつ二つには対向側で一連の隣接円盤２が散開部９内の空間により分離される。
【００１８】
円盤２は、種々の形をとることができ、かつ一対の円盤２を前記素子の回転時に揺動線８を越えて揺動すること及びそれらを散開位置から収斂位置に、すなわち円盤が毛を除去するためにトングを形成する圧縮の状態に切り換えることを意図される結合素子３によって、この一体式素子１内で互いに連結される。
【００１９】
一体式脱毛素子１は合成材料から、特に熱可塑性材料の射出成形により作られることが好ましい。従って、前記素子は、それが圧縮され、その予めの緊張及び回転時にそれに与えられた曲がりに従うことを可能にする一定の柔軟性を持つ。
【００２０】
一体式脱毛素子１と皮膚との間の望ましい接触角に依存して、凹状または凸状またはさらには円筒状である（図５参照）素子により開始すべきである。
【００２１】
この一体式素子１の主な利点は、比較的安く、従って使い捨て可能な合成材料から作られた射出成形部品であることができるということにある。
【００２２】
前記脱毛素子の基本構造は円盤２を含むが、これらの円盤は好適な幾何学的形状（突起上に規則的間隔での切り欠きの循環）を持つ突起１１を持つことができ、それは除去前の毛を掴みまたはブラシ掛けすることを付随的に可能にする。
【００２３】
ベベル７はまた、問題の円盤２上に設けられた幾つかの突起１１がもはや毛が掴まれる点を形成しないがむしろ装置の効果を増大する表面を形成するように、幾つかの突起１１内に作られることができる（図１ａの詳細図）。
【００２４】
これらのベベル７はまた、円盤自身の上に作られることができる。
【００２５】
一体式素子１の隣接円盤は一般的に、前記円盤２を互いに連結する結合素子３により対で揺動する。これらの結合素子３は、この効果を得るために一連の異なる形をとることができ、一つの好適な実施態様は円盤に本質的に垂直な突起である。本発明の好適な実施態様では、結合素子３は互いに対して９０°だけオフセットしており、それは一体式脱毛素子１上に最適数のトングを得ることを可能にする。
【００２６】
脱毛素子１が、前記素子が皮膚上を掃除する速度より早く前記素子を回転するモーターに連結されるとき、脱毛器は一層効果的となる。連続円盤２の結合素子３間のオフセット角度は好ましくは９０°であるが、それらは原則として４５°〜１２０°にあることができ；このオフセット角度は、円盤２の数、従って本発明の一体式素子２上の特定の位置で毛を掴むために利用できるトングの数を決定するだろう。
【図面の簡単な説明】
【００２７】
【図１】図１ａ及び１ｂは、特に図１ａのベベル７の詳細図を有する一体式脱毛素子の種々の図を示す。図１ｃは、支持体上の予め緊張された一体式脱毛素子、及び内側にモーターを配置する可能性を持つ本発明の脱毛器を示す。
【図２】本発明の一体式脱毛素子を示す。
【図３】本発明の一体式脱毛素子を示す。
【図４】本発明の一体式脱毛素子を示す。
【図５】一体式脱毛素子とこの素子の初期形状（凹状、凸状、多少丸い、円筒状）に依存する皮膚との間の接触角の種々の選択を示す。
【図１】
2009537183.tif 000003
【図２】
2009537183.tif 000004
【図３】
2009537183.tif 000005
【図４】
2009537183.tif 000006
【図５】
2009537183.tif 000007
【手続補正書】
【提出日】平成20年3月8日(2008.3.8)
【手続補正１】
【補正対象書類名】特許請求の範囲
【補正対象項目名】全文
【補正方法】変更
【補正の内容】
【特許請求の範囲】
【請求項１】
支持体（５）と、曲がった形状に予め緊張されかつ前記支持体（５）上に回転可能に取付けられた柔軟な一体式脱毛素子（１）とを含む脱毛器であって、前記一体式素子が複数の隣接円盤（２）によって形成され、前記円盤が、二つの連続する円盤上にオフセット角度（１１）を持つ離間結合素子（３）によって互いに連結されており、前記離間結合素子が、前記一体式素子（１）が回転されることにより使用されるとき、対として揺動して幾つかの円盤（２）が互いから分離されて開放空間（６）を残す散開領域（９）と、幾つかの円盤（２）が互いに対して押圧されて毛を掴んで皮膚から除去するためのトングを形成する収斂圧縮領域（１０）とを形成する、二つの隣接円盤（２）のための揺動線（８）を形成するような方法で配置されることを特徴とする脱毛器。
【請求項２】
支持体（５）が、前記一体式素子（１）に結合され、かつ一体式素子が使用されるときに一体式素子に回転運動を与えることを意図されたモーター（４）をさらに含み、前記回転運動が、毛が除去されるべき皮膚の上で一体式素子をスライドさせ、前記一体式素子（１）の前記回転運動が、毛を掴んで皮膚から除去するために散開側（９）の分離された配向から収斂側（１０）の圧縮配向への円盤（２）の連続運動を起こすことを特徴とする請求項１に記載の脱毛器。
【請求項３】
円盤（２）が、それらの周囲に前記揺動線（８）に本質的に平行な特定の幾何学的形状の突起（１１）を持つセグメントを含むことを特徴とする請求項１に記載の脱毛器。
【請求項４】
特定の幾何学的形状の突起（１１）が、円盤（２）の回転方向のブラシ掛け及び掴み順序に適合されていることを特徴とする請求項３に記載の脱毛器。
【請求項５】
前記突起（１１）が、それらの周囲に、掴み表面を作ることを可能にする各側面上のベベル（７）を含むことを特徴とする請求項３に記載の脱毛器。
【請求項６】
前記離間結合素子（３）が円盤（２）の全直径を横切って延びることを特徴とする請求項１に記載の脱毛器。
【請求項７】
前記離間結合素子（３）が円盤（２）の中心に対してオフセットされていることを特徴とする請求項１に記載の脱毛器。
【請求項８】
オフセット角度が４５°〜１２０°であることを特徴とする請求項１に記載の脱毛器。
【請求項９】
オフセット角度が９０°であることを特徴とする請求項８に記載の脱毛器。
【請求項１０】
前記一体式素子（１）が合成材料から作られていることを特徴とする請求項１に記載の脱毛器。
【請求項１１】
前記一体式素子（１）が、予め緊張される前に、凹状、凸状または円筒状の回転幾何学的形状を持つことを特徴とする請求項１に記載の脱毛器。
【請求項１２】
前記円盤が、それらの周囲に、掴み表面を作ることを可能にする各側面上のベベル（７）を含むことを特徴とする請求項１に記載の脱毛器。
【請求項１３】
皮膚と接触する前記圧縮部（１０）が凹状、凸状または直線状であることを特徴とする請求項１に記載の脱毛器。
【国際調査報告】
2009537183.tif 000008
2009537183.tif 000009
2009537183.tif 000010
2009537183.tif 000011